(57)【特許請求の範囲】
【請求項１】
山腹を覆う砂防ネットを形成するための山腹砂防ネット用リングであって、
線材の両端に互いに係合することによって該線材をリング状にするための係合部が形成されているとともに、該線材の中間に別の当該リングをその一端から通し当該リング同士を連結するための連結用環が少なくとも２つ間隔をおいて形成されていることを特徴とする山腹砂防ネット用リング。
【請求項２】
請求項１に記載されている山腹砂防ネット用リングにおいて、
上記リング形状が矩形であり、上記連結用環が当該矩形の角に設けられていることを特徴とする山腹砂防ネット用リング。
【請求項３】
請求項１又は請求項２に記載されている山腹砂防ネット用リングにおいて、
上記両端の係合部は、線材端部をＵ字状に曲げて折り返すことによって形成され、
上記中間の連結用環は、線材中間部に曲げ加工を施すことによって該線材の一部によって形成されており、該連結用環は当該リングの外側に設けられ且つ該連結用環と当該リングとは互いに略直交していることを特徴とする山腹砂防ネット用リング。
【請求項４】
線材の両端に互いに係合することによって該線材をリング状にするための係合部が形成されているとともに、該線材の中間に連結用環が少なくとも２つ間隔をおいて形成されている複数のリングを準備し、
一のリングの連結用環に他のリングをその一端から通しその両端を係合部において係合させることによって当該リング同士を連結する、という作業を繰り返すことによって複数のリングが縦横に連結されてなるネットを形成し、
上記ネットを山腹の砂防場所に固定することを特徴とする山腹砂防ネット工法。
【請求項５】
請求項４に記載されている山腹砂防ネット工法において、
上記リングは、そのリング形状が矩形であり、上記連結用環が当該矩形の角に設けられており、
上記相隣るリング同士は、その一方のリングの角に他方のリングの連結用環を係合させて連結することを特徴とする山腹砂防ネット工法。
【請求項６】
請求項４又は請求項５に記載されている山腹砂防ネット工法において、
上記ネットを形成する工程は、複数のリングを縦横に連結して四角形の小ネットを形成するステップと、
上記小ネットの複数枚を山腹の砂防場所に縦横に敷き並べ、且つこれらの小ネットの相隣るリング同士を同様のリングによって連結していくことによって当該山腹を覆う大ネットを形成するステップとを備え、
上記ネットを砂防場所に固定する工程では、複数本のロープの各々の一端を上記砂防場所の周囲に所定間隔をおいて固定し、各ロープをその一端の固定点より上記大ネットの縦又は横に延びるリング列の各リングの連結用環に順次通して上記砂防場所に縦横に張り、各ロープの他端を上記砂防場所の周囲の反対側に固定するとともに、ロープ同士の交点を結合し、さらに各ロープの中間部を上記砂防場所に固定することによって、上記大ネットを山腹に固定することを特徴とする山腹砂防ネット工法。
【請求項７】
山腹を覆う砂防ネットを形成するための山腹砂防ネット用第１リングと山腹砂防ネット用第２リングとの組合せであって、
第１リングは、その全周にわたって等間隔に配設され且つ外方へ突出した４つの連結用環を備えていて、平面正方格子の各格子点に配置され且つ１つの単位格子を構成する４つのリング各々の１つの連結用環が該単位格子の中心に向かって突出した状態になるように配置されるものであり、
第２リングは、その線材の両端に互いに係合することによって該線材をリング状にするための係合部を備えていて、上記第１リングの配列によって構成される各単位格子の中心に配置されて、該単位格子を構成する４つの第１リングの互いに向かい合う４つの連結用環に通されてこれら４つの第１リングを繋ぐものであることを特徴とする山腹砂防ネット用リングの組合せ。
【請求項８】
山腹を覆う砂防ネットを形成するための山腹砂防ネット用第１リングと山腹砂防ネット用第２リングとの組合せであって、
第１リングは、その全周にわたって等間隔に配設され且つ外方へ突出した３つの連結用環を備えていて、平面三角格子の各格子点に配置され且つ１つの三角単位格子を構成する３つのリング各々の１つの連結用環が該三角単位格子の中心に向かって突出した状態になるように配置されるものであり、
第２リングは、その線材の両端に互いに係合することによって該線材をリング状にするための係合部を備えていて、上記第１リングの配列によって構成される各三角単位格子の中心に配置されて、該三角単位格子を構成する３つの第１リングの互いに向かい合う３つの連結用環に通されてこれら３つの第１リングを繋ぐものであることを特徴とする山腹砂防ネット用リングの組合せ。
【請求項９】
山腹を覆う砂防ネットを形成するための山腹砂防ネット用第１リングと山腹砂防ネット用第２リングとの組合せであって、
第１リングは、その全周にわたって等間隔に配設され且つ外方へ突出した６つの連結用環を備えていて、平面三角格子の各格子点に配置され且つ１つの三角単位格子を構成する３つのリング各々の１つの連結用環が該三角単位格子の中心に向かって突出した状態になるように配置されるものであり、
第２リングは、その線材の両端に互いに係合することによって該線材をリング状にするための係合部を備えていて、上記第１リングの配列によって構成される正の各三角単位格子の中心と逆の各三角単位格子の中心に配置されて、各三角単位格子を構成する３つの第１リングの互いに向かい合う３つの連結用環に通されてこれら３つの第１リングを繋ぐものであることを特徴とする山腹砂防ネット用リングの組合せ。
【請求項１０】
請求項７乃至請求項９のいずれか一に記載されている山腹砂防ネット用リングの組合せにおいて、
上記第１リングの連結用環が当該リングと略直交していることを特徴とする山腹砂防ネット用リングの組合せ。
【請求項１１】
請求項７乃至請求項９のいずれか一に記載されている山腹砂防ネット用リングの組合せにおいて、
第１リングは、連結用環が設けられている各部位に角がある多角形リングであり、第２リングは、第１リングの連結用環が係合する角部を備えた多角形リングであることを特徴とする山腹砂防ネット用リングの組合せ。
【発明の詳細な説明】
【０００１】
【発明の属する技術分野】
本発明は、山腹砂防ネット用リング及び該リングを用いた山腹砂防ネット工法に関する。
【０００２】
【従来の技術】
山腹砂防の一例としてワイヤネット工法がある。これは、山腹の砂防場所に多数のロープ（ワイヤ）を縦横に張り、ロープ同士の交点を結合することによってネットを形成するとともに、各ロープの両端及び中間の適宜の箇所を砂防場所の周囲に固定するものである。また、ロープかけ工法は、上記ワイヤネットの上から菱形金網を被せ、該金網の適宜の箇所をロープに結合するようにしたものであり、ロープと金網とを併用したものである。
【０００３】
【発明が解決しようとする課題】
上記ワイヤネット工法では、当該ネットの網目を細かくしないと小さな落石を防ぐことができない。上記ロープかけ工法では、金網によって小さな落石を防ぐことができるが、菱形金網を砂防場所に凹凸がある場合これに添わせて設けることが難しい。これは、菱形金網はその列線方向に延びる折目がつくように曲げることは容易であるものの、該列線と交叉する方向に延びる折目がつくように曲げること曲げることが難しいためである。また、このように菱形金網が自由に曲がらないから、落石が発生した際に菱形金網の落石発生箇所に応力が集中し易く、このため、山腹から崩壊した石や岩が金網内に止まらずに金網を破壊して落下するおそれがある。
【０００４】
また、砂防場所に立ち木がある場合、菱形金網をその部分で分断し、この分断した菱形金網を立ち木の周囲で別途連結する必要がある。また、菱形金網の場合は、その列線を長くするにも製造上の限界があるから、砂防すべき場所が広い場合には、相隣る菱形金網同士を部分的に重ね合わせて列線の長手方向に連結していく必要がある。しかし、このような重なり部を設けることは材料の浪費になるとともに、金網を山肌に添わせることも難しくなり、さらにはネット全体としてみたときの強度が一様でなくなるから、落石時には強度の低い部分に応力が集中し易くなる。
【０００５】
そこで、この発明では、山腹の砂防場所の凹凸に応じて変形するような、しかも全体が一様な砂防ネットを形成することができ、さらに必要に応じてネットに立ち木のための孔空き部を簡単に形成することができるリングを提供するとともに、このようなリングを用いた山腹砂防ネット工法を提供するものである。
【０００６】
【課題を解決するための手段】
本発明に係る山腹砂防ネット用リングは、山腹を砂防のために覆う砂防ネットを形成するためのものであり、
線材の両端に互いに係合することによって該線材をリング状にするための係合部が形成されているとともに、該線材の中間に別の当該リングをその一端から通し当該リング同士を連結するための連結用環が少なくとも２つ間隔をおいて形成されていることを特徴とする。
【０００７】
この山腹砂防ネット用リングは、その線材両端の係合部を互いに係合させることによってリング状にすることできる。２つのリングがあるとき、そのうちの一方のリングをその端の係合部から他方のリングの連結用環に通すことによって当該両リングを連結することができる。１個のリングに注目すれば、この１個のリングには間隔をおいて２つの連結用環が設けられているから、各連結用環に他のリングを通すことによって２つのリングを連結することができ、また、当該リングを別のリングの連結用環に通すことによってこの別のリングに対して連結することができる。
【０００８】
上記２つの連結用環は当該リングの中心回りに例えば約９０度、約１２０度又は約１８０度離れた態様で配置することができる。ここに「約」とは例えば±１０度程度の差があっても支障はないことを意味する。
【０００９】
上記２つの連結用環を約９０度離した場合には、各リングのリング中心から見たときの連結用環の存する方角を同じにして多数のリングを縦横に二次元的に並べ、縦横に相隣るリング同士を連結用環によって連結すれば砂防ネットを形成することができる。２つの連結用環を約１８０度離した場合には、２つの連結用環を縦に配置したリングと横に配置したリングとが交互になるように多数のリングを縦横に２次元的に配置し、縦横に相隣るリング同士を連結用環によって連結すれば砂防ネットを形成することができる。２つの連結用環を約１２０度離した場合には、６つ１組のリングが正六角形の頂点に配置され且つこの六角形が上下左右に並んだ亀甲形の砂防ネットを形成することができる。
【００１０】
上記リングのリング形状は、円形であっても、楕円形であっても、あるいは角形であってもよい。例えば、上記リング形状を矩形とし、上記連結用環を当該矩形の角に設けるようにすることができる。もちろん、リング形状は矩形以外の多角形状にすることもできる。
【００１１】
このような多数のリングを連結してなる砂防ネットにあっては、相隣るリングは、互いの連結が固定されたものではなく、一方のリングは他方のリングの連結用環に対する連結位置を変えることができるとともに、両リングは相手リングに対してある程度任意の方向に向きを変える（回転する）ことができ、ネット形状を比較的自由に変えることができる。
【００１２】
従って、山腹の砂防場所に凹凸があっても、リング同士の回転等によって当該砂防ネットに凹凸を簡単に形成することができ、砂防場所の凹凸に添わせて砂防ネットを張ることができる。また、山腹が部分的に崩壊しても、その部分での石や岩の移動に応じて比較的広い範囲でリング同士の回転やずれを生じ、特定のリングへの応力集中を招くことなくネット形状が変化して、石や岩が落下する際の衝撃が吸収される。このため、石や岩は砂防ネット内に止まり、該ネットの破壊は避けられる。
【００１３】
なお、各リングに連結用環を設けることなく、リング同士を例えば五輪マークの輪のように連結することも考えられるが、各リングの自由度が高くなり過ぎるため、砂防ネットとした場合にはネット形状が比較的小さな力で変化し易くなり、落石を生じないように山肌を押さえる拘束力が十分に得られない。また、各リングの連結用環同士を別の連結金具によって連結することも考えられるが、砂防ネットの部品点数が多くなるとともに、その連結作業が煩雑になる。
【００１４】
上記山腹砂防ネット用リングの両端の係合部は、例えば線材端部をＵ字状に曲げて折り返すことによって形成することができる。この場合は、Ｕ字状係合部の折返し部を互いに相手側に掛けて結合することができる。
【００１５】
また、上記山腹砂防ネット用リングの中間の連結用環は、線材中間部に曲げ加工を施して該線材の一部によって当該リングの外側に形成するようにし、且つ該連結用環と当該リングとを互いに略直交させるようにすることが好適である。このようにすれば、連結用環がリングの外側に突出しているから、リング同士の連結が容易になるとともに、連結用環がリングに対して略直交しているから、連結すべき各リング面を同一平面上に配置された砂防ネットを得ることができる。
【００１６】
この出願の山腹砂防ネット工法に係る発明は、上述の如き山腹砂防ネット用リングを用いた方法である。すなわち、それは、線材の両端に互いに係合することによって該線材をリング状にするための係合部が形成されているとともに、該線材の中間に連結用環が少なくとも２つ間隔をおいて形成されている複数のリングを準備し、
一のリングの連結用環に他のリングをその一端から通しその両端を係合部において係合させることによって当該リング同士を連結する、という作業を繰り返すことによって複数のリングが縦横に連結されてなるネットを形成し、
上記ネットを山腹の砂防場所に固定することを特徴とする。
【００１７】
立木がある場合には、部分的に当該部位でリングを欠損させてネットを形成すればよい。
【００１８】
上記リング形状が矩形であり、上記連結用環が当該矩形の角に設けられている場合は、上記相隣るリング同士は、その一方のリングの角に他方のリングの連結用環を係合させて連結することになる。これにより、ネット形状が安定することになる。
【００１９】
また、この出願の山腹砂防ネット工法に係る他の発明は、上述の如き山腹砂防ネット工法において、
上記ネットを形成する工程は、複数のリングを縦横に連結して四角形の小ネットを形成するステップと、
上記小ネットの複数枚を山腹の砂防場所に縦横に敷き並べ、且つこれらの小ネットの相隣るリング同士を同様のリングによって連結していくことによって当該山腹を覆う大ネットを形成するステップとを備え、
上記ネットを砂防場所に固定する工程では、複数本のロープの各々の一端を上記砂防場所の周囲に所定間隔をおいて固定し、各ロープをその一端の固定点より上記大ネットの縦又は横に延びるリング列の各リングの連結用環に順次通して上記砂防場所に縦横に張り、各ロープの他端を上記砂防場所の周囲の反対側に固定するとともに、ロープ同士の交点を結合し、さらに各ロープの中間部を上記砂防場所に固定することによって、上記大ネットを山腹に固定することを特徴とするものである。
【００２０】
上記山腹砂防ネット工法において、小ネットは、現場（山腹の砂防場所）付近で作製するようにしても、工場で作製して現場に運搬するようにしてもよい。砂防場所では、複数の小ネットを縦横に敷き並べて相隣る小ネット同士をリングで連結するが、この連結用のリングは小ネットを形成するリングと同じものであるから、大ネットは同じリングが縦横に並んだ一様なものになり、小ネット同士の重複部は生じないとともに、強度も大ネット全体にわたって均一なものになる。砂防場所に部分的に樹木がある場合には、この樹木を囲むように小ネットを張ればよい。この樹木によって生ずるネットの空きスペースは、該スペース周縁の小ネットのリングに別のリングを継ぎ足していくことによって、可及的に狭くすることができる。
【００２１】
大ネットを山腹に固定するロープは縦横に延びる適宜のリング列の各リングの連結用環に通すことによって大ネットと結合されるから、リングとロープとを結合する専用の結合具を別途設ける必要がない。
【００２２】
この出願の他の発明は、山腹を覆う砂防ネットを形成するための山腹砂防ネット用第１リングと山腹砂防ネット用第２リングとの組合せに関するものであって、
第１リングは、その全周にわたって等間隔に配設され且つ外方へ突出した４つの連結用環を備えていて、平面正方格子の各格子点に配置され且つ１つの単位格子を構成する４つのリング各々の１つの連結用環が該単位格子の中心に向かって突出した状態になるように配置されるものであり、
第２リングは、その線材の両端に互いに係合することによって該線材をリング状にするための係合部を備えていて、上記第１リングの配列によって構成される各単位格子の中心に配置されて、該単位格子を構成する４つの第１リングの互いに向かい合う４つの連結用環に通されてこれら４つの第１リングを繋ぐものであることを特徴とする。
【００２３】
この出願のさらに他の発明は、同じく山腹を覆う砂防ネットを形成するための山腹砂防ネット用第１リングと山腹砂防ネット用第２リングとの組合せであって、
第１リングは、その全周にわたって等間隔に配設され且つ外方へ突出した３つの連結用環を備えていて、平面三角格子の各格子点に配置され且つ１つの三角単位格子を構成する３つのリング各々の１つの連結用環が該三角単位格子の中心に向かって突出した状態になるように配置されるものであり、
第２リングは、その線材の両端に互いに係合することによって該線材をリング状にするための係合部を備えていて、上記第１リングの配列によって構成される各三角単位格子の中心に配置されて、該三角単位格子を構成する３つの第１リングの互いに向かい合う３つの連結用環に通されてこれら３つの第１リングを繋ぐものであることを特徴とする。
【００２４】
この出願のさらに他の発明は、同じく山腹を覆う砂防ネットを形成するための山腹砂防ネット用第１リングと山腹砂防ネット用第２リングとの組合せであって、
第１リングは、その全周にわたって等間隔に配設され且つ外方へ突出した６つの連結用環を備えていて、平面三角格子の各格子点に配置され且つ１つの三角単位格子を構成する３つのリング各々の１つの連結用環が該三角単位格子の中心に向かって突出した状態になるように配置されるものであり、
第２リングは、その線材の両端に互いに係合することによって該線材をリング状にするための係合部を備えていて、上記第１リングの配列によって構成される正の各三角単位格子の中心と逆の各三角単位格子の中心に配置されて、各三角単位格子を構成する３つの第１リングの互いに向かい合う３つの連結用環に通されてこれら３つの第１リングを繋ぐものであることを特徴とするものである。
【００２５】
これら山腹砂防ネット用リングの組合せに係る発明の場合は、第１リングと第２リングとの組合せによって砂防ネットを形成することができ、最初に説明した山腹砂防ネット用リングの場合と同様の効果が得られる。また、第２リングは第１リング同士を繋ぐ繋ぎ専用リングであって、この第２リングには連結用環を設ける必要がないから、リング同士の連結が容易になる。さらに、第１リングは複数の連結用環が全周にわたって等間隔に配置されていて等方性を有し、第２リングも単位格子の中心にあって周囲の第１リングとの関係では等方性を有するから、得られるネットはその全体にわたって均質なものになり、耐久性が高くなる。
【００２６】
第１リングの連結用環には、ネットを山腹に固定するためのロープを通すことができる。この連結用環については、最初に説明した山腹砂防ネット用リングの場合と同様に、当該リングに対して略直交させるようにして、リング同士の連結を容易にすることができる。
【００２７】
また、第１リングを、連結用環が設けられている各部位に角がある多角形リングとし、第２リングを、第１リングの連結用環が係合する角部を備えた多角形リングとすることができる。このようにすれば、多角形リング同士を連結用環によって連結したようなネット形状になり、見栄えが良くなるとともに、第１リングと第２リングとの連結位置が定まって形状安定性の高い砂防ネットが得られることになる。
【００２８】
もちろん、第１リング及び第２リングの各々を円形リングにすることもでき、また、第１リングを多角形リングとして第２リングを円形リングとすること、あるいは第１リングを円形リングとして第２リングを多角形リングとすることも可能である。
【００２９】
【発明の効果】
従って、本発明に係る山腹砂防ネット用リングによれば、線材の両端に係合部を有し中間に連結用環を少なくとも２つ間隔をおいて有するから、この連結用環を利用して多数のリングを縦横に連結することによって、特別な連結具を用いることなく、適度に変形可能な砂防ネットを形成することができ、凹凸を有する砂防場所にもその山肌に添わせて砂防ネットを張ることができるとともに、山腹に多少の崩れを生じてもその際の衝撃を当該ネットの変形によって吸収することができ、ネットの破壊が免れ、落石防止に有利になる。
【００３０】
特に、上記リング形状を矩形とし連結用環を当該矩形の角に設けるようにしたものによれば、リング同士を連結するときに、その一方のリングの角に他方のリングの連結用環を係合させて連結することができ、連結作業が容易になるとともに、得られるネット形状が安定することになる。
【００３１】
また、上記山腹砂防ネット用リングの中間の連結用環は、線材中間部に曲げ加工を施して該線材の一部によって当該リングの外側に形成するようにし、且つ該連結用環と当該リングとを互いに略直交させるようにしたものによれば、リング同士の連結が容易になるとともに、連結用環がリングに対して略直交しているから、連結すべき各リング面を同一平面上に配置された砂防ネットを得ることができる。
【００３２】
この出願の山腹砂防ネット工法に係る発明によれば、上述の如きリングを複数個準備し、一のリングの連結用環に他のリングをその一端から通しその両端を係合部において係合させることによって当該リング同士を連結する、という作業を繰り返すことによって複数のリングが縦横に連結されてなるネットを形成し、このネットを山腹の砂防場所に固定するようにしたから、ネットの形成が容易であるとともに、立木がある場合には、部分的に当該部位でリングを欠損させてネットを形成することができる。
【００３３】
また、上述の如きリングによって予め小ネットを作製してこれを砂防場所に縦横に並べてリングで連結するようにした工法によれば、現場での作業工数を少なくすることができるとともに、重複部のない一様な広い、しかも全体にわたって強度の均一な大ネットを形成することができ、また、樹木を避けてネットを張設することが容易になり、さらに、ロープとネットとはロープをリングの連結用環に通すことによって結合するから、特別な結合具も不要となる。
【００３４】
また、本発明に係る山腹砂防ネット用リングの組合せによれば、全周にわたって等間隔に配置した複数の連結用環を有し所定の平面格子の格子点に配置される第１リングと、当該平面格子の単位格子の中心に配置されて周囲の複数の第１リングを繋ぐ第２リングとを組み合わせてなるものであるから、ネットの形成が容易になるとともに、全体にわたって均質なネットが得られ、強度及び耐久性の面でも有利になる。
【００３５】
【発明の実施の形態】
（実施形態１）
図１は山腹の砂防場所に施工した砂防ネット１を示すものであり、この砂防ネット１は、多数のリングよりなる大ネット２と、該大ネット２を山腹に固定する縦横のロープ３とによって構成されている。
【００３６】
＜リングについて＞
図２に上記大ネット２を形成するための第１リング４が示されている。この第１リング４は、金属線材の両端に互いに係合することによって該線材をリング状にするための係合部５，５が形成されているとともに、該線材の中間に２つの連結用環６，６が間隔をおいて形成されてなるものであり、図３に示すように両端係合部５，５を互いに係合させると、円形リング状態になる。
【００３７】
第１リング４の線材としては、鋼線（メッキ鉄線を含む）が好適である。両端の係合部５，５は、線材端部をＵ字状に曲げて折り返すことによって形成されていて、折返すときの線材端部の曲げ方向が互いに直交している。従って、係合部５，５同士の係合は、互いの直交する折返し部を掛けることによってなされる。
【００３８】
連結用環６は、別のリング４をその一端の係合部５から通すことによりリング同士を連結するための、リング４のリング径よりも小さい円環（円形リング）である。但し、連結用環６の内径は、上記係合部５を通す必要から、該係合部５の横幅よりも大きい。また、この連結用環６には必要に応じてロープ３が通されるものであり、このため、その内径はリング４の他にロープ３が通る大きさに形成されている。図３及び図４に示すように、２つの連結用環６，６はリング中心回りに９０度離れた位置関係にある。また、上記係合部５，５の係合位置は一方の連結用環６からリング中心回りに４５度離れている。
【００３９】
連結用環６は、第１リング４の線材の中間部に曲げ加工を施すことにより、該線材の一部によって当該リングの外側に形成されており、且つ該連結用環６と当該リング４とは互いのリング孔の向き、換言すれば互いのリング面が略直交している。また、図５に示すように、連結用環６の両端の隙間は、連結したリング４が離脱しないように、リング４の線径よりも小さくする必要がある。
【００４０】
このような第１リング４の各部の寸法は、例えば、その線径（直径）が５ｍｍ前後、リング４の内径が２００ｍｍ前後、連結用環６の内径が３０ｍｍ前後になるが、この線径、リング径及び連結用環径については、適宜変更することができる。
【００４１】
図６には、第１リング４の使用状態が示されている。すなわち、同図の中央に示す第１リング４は、その上側及び右側に位置する各連結用環６，６に上方の第１リング４、右方の第１リング４がそれぞれ通されて、これらのリング４，４と連結されている。また、この中央の第１リング４は、その左方に位置する第１リングの右側の連結用環６に通されて該左側リング４と連結され、その下方に位置する第１リング４の上側の連結用環６に通されて該下側リング４と連結されている。また、この中央の第１リング４の右側の連結用環６には右側リング４と共にロープ３が通されている。
【００４２】
図７及び図８には上記大ネット２を形成するための第２リング７が示されている。大ネット２はその大部分が上記第１リング４によって形成されるものであるるが、大ネット２の端には必要に応じてこの第２リング７を用いるものである。この点は後述する。第２リング７は、基本的には第１リング４と同じであるが、連結用環６を３つ備えている点が相違する。すなわち、３つの連結用環６，６，６は、リング中心回りに順次９０度ずつ離れて設けられている。
【００４３】
＜山腹砂防について＞
次に上記リング４，７を用いた山腹砂防の一例を説明する。
【００４４】
図９に示すように、上記大ネット２は、多数の小ネット８を第１リング４によって（必要に応じて第２リング７を用いて）順次連結していくことによって形成されている。この例では、大ネット２を構成する左端縦一列のリング及び下端横一列のリングに第２リング７が用いられ、他のリングに第１リング４が用いられている。
【００４５】
第１リング４はすべてその２つの連結用環６，６の一方が上方に突出し、他方が右方に突出するように配置され、左端の第２リング７はすべてその３つの連結用環６，６，６のうちの一つが上方に、他の一つが右方に、さらに他の一つが左方にそれぞれ突出するように配置され、下端の第２リング７は左端のものを除いてその３つの連結用環６，６，６のうちの一つが上方に、他の一つが右方に、さらに他の一つが下方にそれぞれ突出するように配置されている。
【００４６】
また、大ネット２の上端において横１列に並ぶリングの上方へ突出した各連結用環６に上横ロープ３が通され、下端において横一列に並ぶリングの下方へ突出した各連結用環６に下横ロープ３が通され、中間にも複数の横ロープ３が上下に間隔をおいて張設されていて、各中間横ロープ３は大ネット２の中間において横１列に並ぶ適宜のリングの上方へ突出した連結用環６に通されている。また、大ネット２の左端において縦１列に並ぶリングの左方へ突出した各連結用環６に左縦ロープ３が通され、右端において縦一列に並ぶリング（図８では図示省略）の右方へ突出した各連結用環に右縦ロープが通され、中間にも複数の縦ロープ３が左右に間隔をおいて張設されていて、各中間縦ロープ３は大ネット２の中間において縦１列に並ぶ適宜のリングの右方へ突出した連結用環６に通されている。
【００４７】
縦横の各ロープ３はその両端が山腹の砂防場所の周囲にアンカー９を打ち込んで固定され、また、縦横のロープ３の交点１０は互いに結合され、さらに、各ロープ３の中間部は適宜の間隔をおいてその複数箇所がアンカー（図示省略）によって山腹に固定されている。
【００４８】
そこで、工法を説明するに、まず、大ネット２の上端及び左端に配置する小ネットを除く他の小ネット８は、計２５個の第１リング４を縦に５個、横に５個並ぶように縦横に連結して形成する。一方、大ネット２の左端に配置する小ネット８については、該小ネット８の左端縦１列のリングには第２リング７を用い、また、大ネット２の下端に配置する小ネット８については、該小ネット８の下端横１列のリングには第２リング７を用いる。
【００４９】
山腹の砂防場所の上縁に沿って張るべき上横ロープ３の一端をアンカー９で山腹に固定する。この上横ロープ３に必要数の小ネット８を順次通していき、この上横ロープ３の他端及び中間部をアンカー（図示省略）で山腹に固定する。左右に相隣る小ネット８，８同士は、その間に５個の第１リング４を縦１列に配置して、この両小ネット８，８の相対する端一列の第１リング４，４同士を連結する。
【００５０】
上記１列目の小ネット８の各々の下側（谷側）に２列目の小ネット８を配置し、この上下に相隣る小ネット８，８同士を横一列に並ぶ５個の第１リング４によって連結する。但し、左端の小ネット８の左端のリングは第２リング７であるから、上下の第２リング７，７の連結には第２リング７を用いる。この２列目の左右に相隣る小ネット８，８同士も第１リング４を用いて連結する。また、１列目の各小ネット８，８間に設けられた連結用の第１リング４と２列目の各小ネット８，８間に設けられた連結用の第１リング４とも同様に第１リング４によって連結する。
【００５１】
このようにして、以下、３列目、４列目……と小ネット８をリングによって連結していくことにより、砂防場所の全体を覆う大ネット２を形成する。砂防場所に樹木がある場合には、この樹木の存する部分を空きスペースとして、この樹木を囲むように小ネット８を張る。この空きスペースは、該スペース周縁の小ネット８の第１リング４に別の第１リング４を順次継ぎ足していくことによって、可及的に狭くする。また、砂防場所の最下端近くまで小ネット８を張った時点で、さらに小ネット８を継ぎ足すとネットが余る場合には、小ネット８を継ぎ足さずにリングを継ぎ足せばよい。但し、最下端のリングは第２リング７にする必要がある。
【００５２】
上記砂防場所上縁の外側に左端から右端まで所定の間隔（例えば２ｍ間隔）をおいて複数本の縦ロープ３の各上端をアンカー９で固定するとともに、各縦ロープ３と上記上横ロープ３との交点１０を結合する。そして、左端の縦ロープ３は大ネット２の左端に縦一列に並ぶ各第２リング７の左方に突出した連結用環６に上から順に通していく。中間及び右端の縦ロープ３も同様にして縦一列に並ぶ第１リング４の連結用環６に通す。これら縦ロープ３は、その下端をアンカー９によって砂防場所下の山腹ないしは路肩等に固定し、また、その中間部も山腹にアンカーによって固定する。
【００５３】
上記砂防場所の左端又は右端の縦ロープ３の外側に、中間横ロープ３及び下横ロープ３の一端をアンカー９によって固定するとともに、これら横ロープ３と当該端の縦ロープ３との交点１０を結合する。これら横ロープ３を大ネット２の横一列に並ぶ中間のリング及び下端のリングの各連結用環６に順次通し、他端を砂防場所外側の山腹にアンカーによって固定し、中間の複数箇所を山腹にアンカーによって固定し、また、他の縦ロープ３との交点を結合する。
【００５４】
なお、上記工法では、大ネット２を形成した後にロープ３を張るようにしたが、小ネット８をリングで他の小ネット８に連結するときに、同時に当該小ネット８等のリングの連結用環８にロープ３を通すようにして、小ネット８の連結作業とロープ３の張設作業とを並行的に行なうようにしてもよい。
【００５５】
また、上記リング４，７では係合部５，５の折返し部同士を係合させるようにしたが、図１０に示すように、線材端部の折返し長さを長めにし且つ折返しのための曲げ方向を互いに逆向きにした係合部１１，１１であってもよい。このような係合部１１，１１にあっては、ともがけによって両係合部１１，１１を締まり勝手に係合させることができる。
【００５６】
（実施形態２）
本形態は、図１１乃至図１５に示されており、山腹を覆う砂防ネットを形成するための山腹砂防ネット用第１リング２１と、山腹砂防ネット用第２リング２２との組合せに関する。
【００５７】
図１１に示すように、第１リング２１は、正方形状のリング本体２３の４つの頂点の各々より連結用環２４が外方へ突出したものである。この連結用環２４は、図１２に示すように、実施形態１の場合と同様に線材の一部に曲げ加工を施すことによって形成されたものであり、リング本体２３とは略直交している。
【００５８】
図１３に示すように、第２リング２２は、その線材の両端に互いに係合することによって該線材をリング状にするための係合部２５，２５を備えたものであり、正方形リングである。係合部２５は実施形態１のリング４の係合部５と同じ構成である。
【００５９】
第１リング２１及び第２リング２２は１本の金属線材によって形成することができ、第１リング２１は線材の両端を溶接することによってリングを完成することができる。もちろん、２つの連結用環２４，２４を有するコ字状リング部材を形成し、２つのコ字状リング部材の端同士を溶接して１つの第１リング２１を完成するようにしてもよい。
【００６０】
山腹砂防ネットの形成にあたっては、図１４に示すように、上記第１リング２１を平面正方格子２６の各格子点に配置し、且つ１つの単位格子を構成する４つの第１リング２１の各々の１つの連結用環２４が該単位格子の中心に向かって突出した状態になるように配置する。第２リング２２については、上記第１リング２１の配列によって構成される各単位格子の中心に配置する。
【００６１】
そして、上記第２リング２２の係合部２５，２５の係合を解除した状態で、上記単位格子を構成する４つの第１リング２１の互いに向かい合う４つの連結用環２４に順次通して両端の係合部２５，２５を互いに係合させる。この作業を繰り返すことによって図１５に示す砂防ネット２７を得ることができる。また、第１リング２１及び第２リング２２を部分的に欠如することによって立ち木のための孔空きネットを形成することもできる。第１リング２１の連結用環２４には当該ネット２７を山腹に固定するためのロープ３を通すことができる。
【００６２】
（実施形態３）
本形態は、図１６に示されており、山腹を覆う砂防ネットを形成するための山腹砂防ネット用第１リング３１と、山腹砂防ネット用第２リング３２との組合せに関する。
【００６３】
第１リング３１は、三角形状のリング本体３３の３つの頂点の各々より連結用環３４が外方へ突出したものである。この連結用環３４は、先の実施形態と同様に線材の一部に曲げ加工を施すことによって形成されたものであり、リング本体３３とは略直交している。第２リング３２は、その線材の両端に互いに係合することによって該線材をリング状にするための係合部（図示省略）を備えたものであり、三角形リングである。この係合部は実施形態２のものと同じ構成である。第１リング３１及び第２リング３２は実施形態２と同様にして形成することができる。
【００６４】
山腹砂防ネットの形成にあたっては、第１リング３１を平面三角格子３６の各格子点に配置し、且つ１つの三角単位格子を構成する３つの第１リング３１の各々の１つの連結用環３４が該三角単位格子の中心に向かって突出した状態になるように配置する。第２リング３２は、上記第１リング３１の配列によって構成される各三角単位格子の中心に配置し、上記単位格子を構成する３つの第１リング３１の互いに向かい合う３つの連結用環３４に順次通して両端の係合部を互いに係合させる。この作業を繰り返すことによって砂防ネット３７を得ることができる。また、第１リング３１及び第２リング３２を部分的に欠如することによって立ち木のための孔空きネットを形成することもできる。第１リング３１の連結用環３４には当該ネット３７を山腹に固定するためのロープ３を通すことができる。
【００６５】
（実施形態４）
本形態は、図１７に示されており、山腹を覆う砂防ネットを形成するための山腹砂防ネット用第１リング４１と、山腹砂防ネット用第２リング４２との組合せに関する。
【００６６】
第１リング４１は、六角形状のリング本体４３の６つの頂点の各々より連結用環４４が外方へ突出したものである。この連結用環４４は、先の実施形態と同様に線材の一部に曲げ加工を施すことによって形成されたものであり、リング本体４３とは略直交している。第２リング４２は、その線材の両端に互いに係合することによって該線材をリング状にするための係合部（図示省略）を備えたものであり、三角形リングである。この係合部は実施形態２のものと同じ構成である。第１リング４１及び第２リング４２は実施形態２と同様にして形成することができる。
【００６７】
山腹砂防ネットの形成にあたっては、第１リング４１を平面三角格子４６の各格子点に配置し、且つ１つの三角単位格子を構成する３つの第１リング４１の各々の１つの連結用環４４が該三角単位格子の中心に向かって突出した状態になるように配置する。第２リング４２は、上記第１リング４１の配列によって構成される正の各三角単位格子の中心及び逆の各三角形単位格子の中心に配置し、上記単位格子を構成する３つの第１リング４１の互いに向かい合う３つの連結用環４４に順次通して両端の係合部を互いに係合させる。この作業を繰り返すことによって砂防ネット４７を得ることができる。また、第１リング４１及び第２リング４２を部分的に欠如することによって立ち木のための孔空きネットを形成することもできる。第１リング４１の連結用環４４には当該ネット４７を山腹に固定するためのロープ３を通すことができる。
【００６８】
（実施形態５）
本形態は、図１８〜図２３に示されており、図１８に示す第１リング５１と、図２０に示す第２リング５２と、図２１に示す第３リング５３とを用いて、図２３に示すような砂防ネット５４を形成するものである。
【００６９】
すなわち、図１８に示す第１リング５１は、１本の線材によって形成されたものであって、その両端に形成された係合部５５，５５同士を係合させることによって矩形のリングを形成するものである。一端の係合部５５は線材端部を折り返すによって予め環状に形成しておき、他端の係合部５５は、線材端部を予めＵ字状に折り返しておいて、この折り返された末端から上記他端の環状係合部５５に差し込む。この他端の係合部５５は、当該差し込み後、必要に応じて工具で強く曲げることによって環状係合部として係合部５５，５５の係合の外れを防止することができる（この点は先の実施形態も同じである。）。そして、この矩形リングの相隣る２つの角に連結用環５６，５６がリング外方へ突出させて形成されている。図１９にも示すように連結用環５６の面は当該リング面に対して９０度捻られている。また、上記係合部５５，５５は矩形リングの一つの角に配置されている。
【００７０】
図２０に示す第２リング５２は、上記第１リング５１と同形の矩形リングであり、同様の係合部５５，５５を備えているが、連結用環５６が３つの角に設けられている点が相違する。図２１に示す第３リング５３は、上記第１リング５１と同形の矩形リングであり、同様の係合部５５，５５を備えているが、係合部５５，５５は矩形の一辺の中間に配置されている点、並びに４つの角に連結用環５６が設けられている点が相違する。また、第３リング５３はその両端の係合部５５，５５を予め係合させておくことができる。これは、第３リング５３は、その連結用環５６に他のリングが通されるものであって、第３リング５３自体を他のリングの連結用環５６に通すことがないからである。
【００７１】
リング同士の連結態様は第１リング５１の例で図２２に示されている。すなわち、一のリング５１の両端の係合部５５，５５を非係合状態にしておいて、その一端の係合部５５を隣接する２つのリング５１，５１の各連結用環５６，５６に順に通して他端の係合部５５に係合させるものである。この隣接するリング５１，５１の連結用環５６，５６は、当該一のリング５１の連結用環５６が存在しないリング角部に係合させる。第１リング５１と第２リング５２との連結、第２リング５２，５２同士の連結、第２リング５２と第３リング５３との連結も同様である。
【００７２】
上記第１〜第３のリング５１〜５３を縦横に連結すれば、図２３に示す砂防ネット５４が得られる。同ネット５４においては、右下角部に配置されているリングが第３リング５３であり、右側辺の残り５つのリング及び下辺の残り５つのリングが第２リング５２であり、残りのリングは全て第１リング５１である。
【図面の簡単な説明】
【図１】実施形態１の山腹砂防の一例を示す斜視図。
【図２】同形態の第１リングの斜視図。
【図３】同形態の第１リングの正面図。
【図４】同形態の第１リングの側面図。
【図５】同形態の第１リングの連結用環の隙間の正面図。
【図６】同形態の第１リングの使用状態を示す斜視図。
【図７】同形態の第２リングの正面図。
【図８】同形態の第２リングの側面図。
【図９】同形態の山腹砂防工法の説明図。
【図１０】リング両端のともがけによる係合状態を示す正面図。
【図１１】実施形態２の第１リングの正面図。
【図１２】同形態の第１リングの側面図。
【図１３】同形態の第２リングの正面図。
【図１４】同形態の砂防ネットの一部を拡大した正面図。
【図１５】同形態の砂防ネットの一部を示す正面図。
【図１６】実施形態３の砂防ネットの一部を示す正面図。
【図１７】実施形態４の砂防ネットの一部を示す正面図。
【図１８】実施形態５の第１リングの正面図。
【図１９】同リングの係合部の正面図。
【図２０】同形態の第２リングの正面図。
【図２１】同形態の第３リングの正面図。
【図２２】同形態のリング連結態様を示す正面図。
【図２３】同形態の砂防ネットの正面図。
【符号の説明】
１，２７，３７，４７，５４  砂防ネット
２  大ネット
３  ロープ
４，２１，３１，４１，５１  第１リング
５，２５，５５  係合部
６，２４，３４，４４，５６  連結用環
７，２２，３２，４２，５２  第２リング
８  小ネット
９  アンカー
１０  交点
１１  係合部
２６  平面正方格子
３６  平面三角格子
５３  第３リング
【図１】
0003789224.tif 000002
【図２】
0003789224.tif 000003
【図３】
0003789224.tif 000004
【図４】
0003789224.tif 000005
【図５】
0003789224.tif 000006
【図６】
0003789224.tif 000007
【図７】
0003789224.tif 000008
【図８】
0003789224.tif 000009
【図９】
0003789224.tif 000010
【図１０】
0003789224.tif 000011
【図１１】
0003789224.tif 000012
【図１２】
0003789224.tif 000013
【図１３】
0003789224.tif 000014
【図１４】
0003789224.tif 000015
【図１５】
0003789224.tif 000016
【図１６】
0003789224.tif 000017
【図１７】
0003789224.tif 000018
【図１８】
0003789224.tif 000019
【図１９】
0003789224.tif 000020
【図２０】
0003789224.tif 000021
【図２１】
0003789224.tif 000022
【図２２】
0003789224.tif 000023
【図２３】
0003789224.tif 000024